(57)【要約】【課題】セルフタイマーを使用した撮影において人物目検出機能を利用して被写体人物全員が撮像装置の方を向いて撮影されるようにする撮像装置を提供する。【解決手段】セルフタイマー撮影前に被写体人数登録部で被写体人数を登録しておく。目検出開始時間がセルフタイマー時間管理部３８で設定される。セルフタイマー作動開始後で目検出開始時間以降、登録された被写体人数分の目が目検出処理部３６によって検出されたときに電子シャッターが下りる。被写体人数分の目が目検出処理部３６によって検出されるということは、被写体全員の顔がデジタルカメラ１０の方を向いていることになり、好ましい人物画像を撮影できる。【選択図】  図１
2004336265.tif 000002
【特許請求の範囲】
【請求項１】
セルフタイマー付撮像装置であって、
被写体としての人物を撮像する撮像手段と、
セルフタイマー撮影前に被写体人数を登録しておく被写体人数登録手段と、
前記撮像手段により得られた画像から人物の目を検出する目検出手段と、
前記目検出手段による目検出の開始時間を設定する目検出開始時間設定手段と、
セルフタイマー作動開始後で目検出開始時間以降、前記登録された被写体人数分の目が前記目検出手段によって検出されたときにシャッターが下りるようにするシャッター作動手段と、からなるセルフタイマー付撮像装置。
【請求項２】
最長目検出時間を設定する最長目検出時間設定手段を更に有し、前記最長目検出時間以内に前記登録された被写体人数分の目が前記目検出手段によって検出されない場合には前記最長目検出時間満了時に前記シャッター作動手段はシャッターが下りるようにする請求項１のセルフタイマー付撮像装置。
【請求項３】
前記シャッター作動手段は、セルフタイマー作動開始後で目検出開始時間以降、前記登録された被写体人数分の目が前記目検出手段によって検出される都度シャッターが下りるようにする請求項１のセルフタイマー付撮像装置。
【請求項４】
予めシャッターが下りる回数を設定するシャッター作動回数設定手段を更に有し、シャッターが下りる回数を設定しておくことによって前記シャッター作動手段は前記登録された被写体人数分の目が前記目検出手段によって検出される都度設定回数分までシャッターが下りるようにする請求項３のセルフタイマー付撮像装置。
【請求項５】
前記シャッター作動手段は、セルフタイマー作動開始後で目検出開始時間以降、前記登録された被写体人数分の目が前記目検出手段によって検出される都度前記最長目検出時間以内でシャッターが下りるようにする請求項２のセルフタイマー付撮像装置。
【請求項６】
予めシャッターが下りる回数を設定するシャッター作動回数設定手段を更に有し、シャッターが下りる回数を設定しておくことによって前記シャッター作動手段は前記登録された被写体人数分の目が前記目検出手段によって検出される都度前記最長目検出時間以内で設定回数分までシャッターが下りるようにしており、前記最長目検出時間満了前に前記設定回数分シャッターが下りていない場合は前記最長目検出時間満了時に前記シャッター作動手段は設定回数のうちまだシャッターが下りていない回数シャッターが下りるようにする請求項５のセルフタイマー付撮像装置。
【請求項７】
セルフタイマー付撮像装置であって、
被写体としての人物を撮像する撮像手段と、
前記撮像手段により得られた画像から人物の顔を検出する顔検出手段と、
前記顔検出手段により人物の顔を検出することによって被写体人数を把握する被写体人数把握手段と、
前記撮像手段により得られた画像から人物の目を検出する目検出手段と、
前記目検出手段による目検出の開始時間を設定する目検出開始時間設定手段と、
セルフタイマー作動開始後で目検出開始時間以降、前記把握された被写体人数分の目が前記目検出手段によって検出されたときにシャッターが下りるようにするシャッター作動手段と、からなるセルフタイマー付撮像装置。
【発明の詳細な説明】
【０００１】
【発明の属する技術分野】
本発明は、セルフタイマーが装備されているセルフタイマー付撮像装置に関する。
【０００２】
【従来の技術】
カメラやカメラ付携帯電話機等の撮像装置でセルフタイマーを使用して人物を撮影する場合、被写体人物全員が撮像装置の方を向いて撮影されることが望ましい。
【０００３】
しかし、撮影に慣れていない幼児が撮影時に撮像装置の方を向いていない、セルフタイマー動作音や動作点滅の確認がしづらいことによりいつ撮影されるか被写体人物自身が認識できない、などの理由で、被写体人物の一部が撮像装置の方を向いていない状態で撮影されることがしばしば発生する。
【０００４】
【特許文献１】
特開２００１−２１５４０３号公報
【０００５】
【発明が解決しようとする課題】
本発明は、上記の事実を考慮し、セルフタイマーを使用した撮影において人物目検出機能を利用して被写体人物全員が撮像装置の方を向いて撮影されるようにする撮像装置を提供することを目的とする。
【０００６】
人物目検出機能が搭載され、該機能をオートフォーカス制御に利用する撮像装置は、上記特許文献１に開示されている。
【０００７】
【課題を解決するための手段】
請求項１の本発明は、セルフタイマー付撮像装置であって、
被写体としての人物を撮像する撮像手段と、
セルフタイマー撮影前に被写体人数を登録しておく被写体人数登録手段と、
前記撮像手段により得られた画像から人物の目を検出する目検出手段と、
前記目検出手段による目検出の開始時間を設定する目検出開始時間設定手段と、
セルフタイマー作動開始後で目検出開始時間以降、前記登録された被写体人数分の目が前記目検出手段によって検出されたときにシャッターが下りるようにするシャッター作動手段と、からなるセルフタイマー付撮像装置、からなる。
【０００８】
請求項１の本発明によれば、まずセルフタイマー撮影前に被写体人数登録手段で被写体人数を登録しておく。目検出開始時間が目検出開始時間設定手段によって設定される。この目検出開始時間は、例えば、撮像装置で初期設定されていたり、ユーザが自分で設定したりする。セルフタイマー作動開始後で目検出開始時間以降、前記登録された被写体人数分の目が前記目検出手段によって検出されたときにシャッターが下りる。被写体人数分の目が前記目検出手段によって検出されるということは、被写体全員の顔が撮像装置の方を向いていることになり、好ましい人物画像を撮影できる。被写体人数分の目が検出されるとは、一般的には登録された被写体人数の２倍の目の数が検出されることになる。
【０００９】
請求項２の本発明は、最長目検出時間を設定する最長目検出時間設定手段を更に有し、前記最長目検出時間以内に前記登録された被写体人数分の目が前記目検出手段によって検出されない場合には前記最長目検出時間満了時に前記シャッター作動手段はシャッターが下りるようにする請求項１のセルフタイマー付撮像装置、からなる。
【００１０】
請求項２の本発明によれば、最長目検出時間以内に、登録された被写体人数分の目が目検出手段によって検出されない場合には前記最長目検出時間満了時にシャッター作動手段はシャッターが下りるようにする。最長目検出時間は、撮像装置で初期設定されていたり、ユーザが自分で設定したりする。最長目検出時間以内に被写体人数分の目が検出されない場合には、最長目検出時間満了時に強制的にシャッターが下りる。
【００１１】
請求項３の本発明は、前記シャッター作動手段は、セルフタイマー作動開始後で目検出開始時間以降、前記登録された被写体人数分の目が前記目検出手段によって検出される都度シャッターが下りるようにする請求項１のセルフタイマー付撮像装置、からなる。
【００１２】
請求項３の本発明によれば、前記シャッター作動手段は、登録された被写体人数分の目が前記目検出手段によって検出される都度シャッターが下りるようにしている。したがって、登録された被写体人数分の目が前記目検出手段によって検出されたときが複数回の場合は、複数回シャッターが下りる。
【００１３】
請求項４の本発明は、予めシャッターが下りる回数を設定するシャッター作動回数設定手段を更に有し、シャッターが下りる回数を設定しておくことによって前記シャッター作動手段は前記登録された被写体人数分の目が前記目検出手段によって検出される都度設定回数分までシャッターが下りるようにする請求項３のセルフタイマー付撮像装置、からなる。
【００１４】
請求項４の本発明によれば、請求項３の特徴に加え、さらにシャッターが下りる回数を設定しておくので、登録された被写体人数分の目が前記目検出手段によって検出される都度設定回数分までシャッターが下りるようになる。複数回シャッターが下りる場合でもシャッターが下りる回数を設定しておくことにより、設定回数分までシャッターが下りるようになるので、登録された被写体人数分の目が前記目検出手段によって検出されたときでも無限回数シャッターが下りることが防止される。
【００１５】
請求項５の本発明は、前記シャッター作動手段は、セルフタイマー作動開始後で目検出開始時間以降、前記登録された被写体人数分の目が前記目検出手段によって検出される都度前記最長目検出時間以内でシャッターが下りるようにする請求項２のセルフタイマー付撮像装置、からなる。
【００１６】
請求項５の本発明によれば、前記シャッター作動手段は、登録された被写体人数分の目が前記目検出手段によって検出される都度最長目検出時間以内でシャッターが下りるようにしている。したがって、最長目検出時間の範囲内で、登録された被写体人数分の目が前記目検出手段によって複数回検出された場合は、複数回シャッターが下りる。
【００１７】
請求項６の本発明は、予めシャッターが下りる回数を設定するシャッター作動回数設定手段を更に有し、シャッターが下りる回数を設定しておくことによって前記シャッター作動手段は前記登録された被写体人数分の目が前記目検出手段によって検出される都度前記最長目検出時間以内で設定回数分までシャッターが下りるようにしており、前記最長目検出時間満了前に前記設定回数分シャッターが下りていない場合は前記最長目検出時間満了時に前記シャッター作動手段は設定回数のうちまだシャッターが下りていない回数シャッターが下りるようにする請求項５のセルフタイマー付撮像装置、からなる。
【００１８】
請求項６の本発明によれば、最長目検出時間以内に、登録された被写体人数分の目が前記目検出手段によって検出される都度設定回数分までシャッターが下りるようになり、設定回数分最長目検出時間満了前にシャッターが下りていない場合には、最長目検出時間満了時にシャッター作動手段は残りの回数強制的にシャッターが下りるようにする。
【００１９】
請求項７の本発明は、セルフタイマー付撮像装置であって、
被写体としての人物を撮像する撮像手段と、
前記撮像手段により得られた画像から人物の顔を検出する顔検出手段と、
前記顔検出手段により人物の顔を検出することによって被写体人数を把握する被写体人数把握手段と、
前記撮像手段により得られた画像から人物の目を検出する目検出手段と、
前記目検出手段による目検出の開始時間を設定する目検出開始時間設定手段と、
セルフタイマー作動開始後で目検出開始時間以降、前記把握された被写体人数分の目が前記目検出手段によって検出されたときにシャッターが下りるようにするシャッター作動手段と、からなるセルフタイマー付撮像装置、からなる。
【００２０】
請求項７の本発明によれば、前記顔検出手段により撮像手段により得られた画像から人物の顔を検出することによって被写体人数把握手段が被写体人数を把握する。目検出開始時間が目検出開始時間設定手段によって設定される。この目検出開始時間は、例えば、撮像装置で初期設定されていたり、ユーザが自分で設定したりする。セルフタイマー作動開始後で目検出開始時間以降、前記把握された被写体人数分の目が前記目検出手段によって検出されたときにシャッターが下りる。被写体人数分の目が前記目検出手段によって検出されるということは、被写体全員の顔が撮像装置の方を向いていることになり、好ましい人物画像を撮影できる。被写体人数分の目が検出されるとは、一般的には把握された被写体人数の２倍の目の数が検出されることになる。
【００２１】
【発明の実施の形態】
以下、添付図面に従って本発明の好ましい実施の形態について詳説する。
【００２２】
本実施の形態では、撮像装置としてデジタルカメラを適用した場合を説明する。
【００２３】
図１は、デジタルカメラ１０の構成を示したブロック図である。
【００２４】
カメラ１０は、撮影レンズ・絞り等の光学系１２を有する。撮影レンズは、単焦点レンズでもよいし、ズームレンズ等の焦点距離可変のものでもよい。
【００２５】
光学系１２を通過した光は、ＣＣＤイメージセンサ（以下、「ＣＣＤ」という。）１４に結像される。ＣＣＤ１４の受光面にはフォトセンサが平面的に配列され、各センサに対応して赤（Ｒ）、緑（Ｇ）、青（Ｂ）の原色カラーフィルタが所定の配列形態で配置されている。ＣＣＤ１４の受光面に結像された被写体像は、各フォトセンサによって入射光量に応じた量の信号電荷に変換される。ＣＣＤ１４は、シャッターゲートパルスのタイミングによって各フォトセンサの電荷蓄積時間（シャッタースピード）を制御する、いわゆる電子シャッター機能を有している。
【００２６】
ＣＣＤ１４の各フォトセンサに蓄積された信号電荷は、図示せぬＣＣＤドライバから与えられるパルスに基づいて信号電荷に応じた電圧（画像信号）として順次読み出される。ＣＣＤ１４から出力された画像信号は、相関二重サンプリング（ＣＤＳ）処理並びに色分離処理等の所定のアナログ信号処理を経た後、Ａ／Ｄ変換器１６によりデジタル信号に変換される。
【００２７】
変換されたデジタル信号は、ホワイトバランス調整回路（以下、「ＷＢ回路」という。）１８へ送られる。ＷＢ回路１８は、ＲＧＢの各色信号のデジタル値を増減するための乗算器から構成されており、各色信号はそれぞれ対応する乗算器に加えられる。各色毎の乗算器には、ＡＥ（自動露出）・ＡＦ（オートフォーカス）・ＡＷＢ（オートホワイトバランス）制御部３０からホワイトバランス補正値（ゲイン値）Ｒｇ、Ｇｇ、Ｂｇの指令が加えられており、各乗算器はその指令に従って色信号のレベルを調節する。ＷＢ回路１８においてホワイトバランス調整されたＲＧＢ信号は、リニアマトリックス回路２０に加えられる。
【００２８】
リニアマトリックス回路２０では、入力したＲＧＢ信号を次式（１）にしたがって変換し、新たなＲＧＢ信号を得る。
【００２９】
【数１】
2004336265.tif 000003
ただし、ａ〜ｉは定数とする。
【００３０】
リニアマトリックス回路２０で処理された信号は、ガンマ変換回路２２に送られる。ガンマ変換回路２２は、リニアマトリックス調整されたＲＧＢ信号が所望のガンマ特性となるように入出力特性を変換する。ガンマ変換された信号は、ＲＧＢ→ＹＣｒＣｂ変換回路（以下、「ＹＣ変換回路」という。）及びＹＣｒＣｂ同時化処理回路２４に送られ、ＹＣ変換回路においてＲＧＢ信号から輝度信号Ｙと色差信号Ｃｒ、Ｃｂに変換され、ＹＣｒＣｂ同時化処理回路において同時化処理（単板ＣＣＤのカラーフィルタ配列に伴う色信号の空間的なズレを補間して色信号を同時式に変換する処理）される。
【００３１】
同時化処理された信号は画像メモリ３２に格納される一方で、色差マトリックス回路２６にも送られる。色差マトリックス回路２６では、色差信号の色補正が行われる。色差マトリックス回路２６で処理された画像データは、圧縮回路３４によってＪＰＥＧ圧縮された後、メモリカードなどの記録媒体に記録される。記録媒体は、リムーバブルメディアに限らず、カメラ１０の内部メモリであってもよい。
【００３２】
画像メモリ３２に格納された信号は目検出処理部３６へ送られる。すなわち、ＣＣＤ１４に入射された画像データは、目検出処理部３６で目検出されたかどうかが判断される。目検出処理部３６の詳細は後述する。目検出処理部３６で目が検出された場合には、その検出情報が電子シャッター制御部２８及びＡＥ・ＡＦ・ＡＷＢ制御部３０に送られる。ＡＥ・ＡＦ・ＡＷＢ制御部３０は、目検出情報を受けると撮影レンズ・絞り等の光学系１２、ＣＣＤ１４、ＷＢ回路１８に各々作動するよう制御情報を送る。電子シャッター制御部２８は、目検出処理部３６からの目検出情報及びＡＥ・ＡＦ・ＡＷＢ制御部３０からのＡＥ等に作動制御情報を送った旨の情報を受けて電子シャッターを作動させる信号をＣＣＤ１４に送る。電子シャッターが作動するときは、適切なＡＥ、ＡＦ、ＡＷＢがセッティングされた状態になっている。
【００３３】
セルフタイマー時間管理部３８は、セルフタイマー時間を管理する機能を有し、シャッターボタン（図示せず）と接続されていてシャッターボタンが押圧されるとセルフタイマーが作動開始する。セルフタイマー時間管理部３８は目検出モードに設定することができる。もちろん、目検出をしないモードにも設定することができる。目検出モードに設定すると、セルフタイマーが作動開始してから所定秒数経過すると目検出処理部３６に作動開始信号が送られ、目検出処理部３６での目検出処理が開始される。当該所定秒数はユーザ設定されるか又はデジタルカメラ１０で初期設定されている。目検出処理部３６で目検出処理が開始されると、目検出処理が開始された旨の信号がセルフタイマー時間管理部３８に送られ、目検出処理が開始された時点からセルフタイマーが再び作動開始する。目検出処理が開始された時点から所定秒数経過するとセルフタイマー時間管理部３８から所定秒数経過した旨の信号（以下、「経過信号」という）がＡＥ・ＡＦ・ＡＷＢ制御部３０及び電子シャッター制御部２８に送られる。
【００３４】
目検出処理が開始された時点から経過信号が発せられるまでの所定秒数（すなわち、最長目検出時間）は、最長目検出時間設定部３９によって設定できる。セルフタイマー時間管理部３８は目検出開始から設定された最長目検出時間セルフタイマーをかける。
【００３５】
ＡＥ・ＡＦ・ＡＷＢ制御部３０は、経過信号を受けると撮影レンズ・絞り等の光学系１２、ＣＣＤ１４、ＷＢ回路１８に各々作動するよう制御情報を送る。電子シャッター制御部２８は、セルフタイマー時間管理部３８からの経過信号及びＡＥ・ＡＦ・ＡＷＢ制御部３０からのＡＥ等に作動制御情報を送った旨の情報を受けて電子シャッターを作動させる信号をＣＣＤ１４に送る。ここでも電子シャッターが作動するときは、適切なＡＥ、ＡＦ、ＡＷＢがセッティングされた状態になっている。なお、経過信号を受けても電子シャッターを作動させないようにすることもできる。
【００３６】
電子シャッター制御部２８にはシャッター回数記憶部２９が接続され、シャッター回数記憶部２９にはシャッター回数設定部３１が接続されている。シャッター回数記憶部２９にはシャッターが下りる回数が記憶されており、シャッター回数設定部３１からはユーザが希望するシャッターが下りる回数を設定できるようになっている。シャッターが下りる回数は、デジタルカメラ１０で初期設定されていてもよい。電子シャッター制御部２８は、設定回数電子シャッターが下りるように制御する。
【００３７】
目検出処理部３６を詳説する。
【００３８】
図８は、目検出処理部３６の構成を示すブロック図である。同図に示すように、目検出処理部３６は、主として画像データ入力部５４、目抽出部５６、目検出結果出力部５８から構成されている。
【００３９】
デジタルカメラ１０によって取得された画像データ５２は、画像データ入力部５４を介して目抽出部５６に入力される。
【００４０】
目の画像を含む画像データ５２は、画像データ入力部５４を介して目検出処理部３６に入力され、目抽出部５６に送られる。目抽出部５６は、入力された画像データを解析して目を抽出する。
【００４１】
目抽出部５６で抽出された情報は目検出結果出力部５８に送られ、目検出結果出力部５８において所定の出力形式に変換されて外部に出力される。こうして、最終的な目検出結果データ（目が検出されたかどうかを示すデータ）６０を得ることができる。
【００４２】
図８の目抽出部５６の構成例を図９に示す。目抽出部５６は、特徴抽出処理部６２、マッチング処理部６６、辞書データ格納部６４、辞書データとの一致度を算出する一致度算出部６８、一致度を判定する一致度判定部７０を含む。
【００４３】
特徴抽出処理部６２は、入力された画像データに対して、例えば、ウエーブレット変換を行い、適切な位置と周波数のウエーブレット係数を取り出して量子化するなど、目抽出のための特徴抽出処理を行う。
【００４４】
人数登録部６３には、被写体人数がユーザによって登録されている。
【００４５】
辞書データ格納部６４には、事前に非常に多数のサンプル画像から上記同様の特徴抽出処理を行い作成しておいた目辞書データが格納されている。
【００４６】
マッチング処理部６６は、特徴抽出処理部６２で抽出されたデータと目辞書データとの間でマッチング処理を行うと共にマッチング対象数と登録された被写体人数との間でのマッチング処理も行う。
【００４７】
一致度算出部６８では、特徴抽出処理を施された画像データと目辞書データとの一致度及び被写体人数の一致度が算出される。
【００４８】
一致度判定部７０は、マッチング処理の結果から算出された一致度がある一定のしきい値を超えているか否かを判断する。一致度がしきい値を超えていない場合には、対象人数の目が存在しないと判定され、目を検出しなかったとの情報７４を出力する。
【００４９】
その一方、一致度判定部７０において一致度がしきい値を超えた場合は、対象人数の目が存在すると判定され、目を検出したとの情報７２を出力する。
【００５０】
図２〜図６を用いて、デジタルカメラ１０をセルフタイマーモードにして目検出モードに設定しシャッターが下りるまでの各態様を説明する。
【００５１】
図２は第１態様を示す図である。第１態様は、シャッターボタンを押してから１０秒後に目検出が開始される設定がされている。目検出終了時間は設定されていない。被写体人数は４人で登録されている。目検出開始後、４名分の目が検出されると、電子シャッターが作動する。
【００５２】
図３は第２態様を示す図である。第２態様は、シャッターボタンを押してから１０秒後に目検出が開始される設定がされている。目検出終了時間（最大目検出時間）は目検出開始後１５秒後に設定されている。被写体人数は４人で登録されている。目検出開始後、１５秒以内に４名分の目が検出されると、電子シャッターが作動する。
【００５３】
図４は第３態様を示す図である。第３態様は、シャッターボタンを押してから１０秒後に目検出が開始される設定がされている。目検出終了時間（最大目検出時間）は目検出開始後１５秒後に設定されている。被写体人数は４人で登録されている。シャッターが下りる回数は１回に設定されている。目検出開始後、１５秒以内に４名分の目が検出されない場合は、目検出開始後１５秒経過するときに電子シャッターが強制的に１回作動する。
【００５４】
図５は第４態様を示す図である。第４態様は、シャッターボタンを押してから１０秒後に目検出が開始される設定がされている。目検出終了時間（最大目検出時間）は目検出開始後１５秒後に設定されている。被写体人数は４人で登録されている。シャッターが下りる回数は３回に設定されている。目検出開始後、１５秒以内に４名分の目が３回検出された場合は、検出される都度電子シャッターが作動し、合計３回シャッターが作動する。
【００５５】
図６は第５態様を示す図である。第５態様は、シャッターボタンを押してから１０秒後に目検出が開始される設定がされている。目検出終了時間（最大目検出時間）は目検出開始後１５秒後に設定されている。被写体人数は４人で登録されている。シャッターが下りる回数は３回に設定されている。目検出開始後、１５秒以内に４名分の目が１回のみ検出された場合は、検出されたときに電子シャッターが作動するが、残りの回数分は目検出開始後１５秒経過するときに電子シャッターが強制的に２回作動する。
【００５６】
図７は第６態様を示す図である。第６態様は、シャッターボタンを押してから１０秒後に顔検出が開始され、１１秒後に目検出が開始される設定がされている。目検出終了時間（最大目検出時間）は目検出開始後１５秒後に設定されている。被写体人数は被写体の顔検出システムによって把握される。
【００５７】
顔検出システムは、基本的に前述した目検出のシステムと同様であるが、特徴抽出は画像の２値化を用いた方法でのエッジ検出等、既存の方法を用いることができる。そして、特徴抽出処理を施された画像データと顔辞書データとの一致度を判定して被写体人数が確定した場合にその被写体人数と目検出で検出された人数との一致度が算出される。顔検出システムで検出された被写体人数と目検出で検出された人数とが一致した場合は対象人数の目検出がされたことになり（図９の７２に相当）、一致しない場合は対象人数の目が検出されない（図９の７４に相当）結果となる。
【００５８】
顔検出システムで４人の顔が検出されたとする。シャッターが下りる回数は３回に設定されている。顔検出開始後、１秒後に目検出が開始する。顔検出開始後１５秒以内に４名分の目が１回のみ検出された場合は、検出されたときに電子シャッターが作動するが、残りの回数分は顔検出開始後１５秒経過したときに電子シャッターが強制的に２回作動する。
【００５９】
本形態によれば、セルフタイマー撮影において、確実に被写体人物全員がカメラの方を向いて撮影される。したがって、撮影に慣れていない幼児が撮影時にカメラの方を向いていない、セルフタイマー動作音や動作点滅の確認がしづらいことによっていつ撮影されるか被写体人物自身が認識できない、などの事態が防止できる。
【００６０】
本形態では、撮像装置としてデジタルカメラを用いたが、本発明をカメラ付き携帯電話機等、デジタルカメラ以外の撮像装置にも適用できることはもちろんである。
【００６１】
本形態では被写体として人を対象にしたが、人以外、例えば犬や猫などの動物にも本発明を適用できる。
【００６２】
【発明の効果】
請求項１の本発明によれば、セルフタイマー撮影において、確実に被写体人物全員が撮像装置の方を向いて撮影される。したがって、撮影に慣れていない幼児が撮影時に撮像装置の方を向いていない、セルフタイマー動作音や動作点滅の確認がしづらいことによっていつ撮影されるか被写体人物自身が認識できない、などの事態が防止できる。
【００６３】
請求項２の本発明によれば、最長目検出時間を設定することにより、被写体人数分の目が検出されるまで永久に待つ必要がなくなる。
【００６４】
請求項３の本発明によれば、被写体人物全員が撮像装置の方を向いて撮影された複数の画像の中から後で人物の表情がよりよい画像を選択することができ、より好ましいセルフタイマー撮影が可能になる。
【００６５】
請求項４の本発明によれば、被写体人物全員が撮像装置の方を向いたときでも無限回数シャッターが下りることが防止される。
【００６６】
請求項５の本発明によれば、被写体人物全員が撮像装置の方を向いたときでも所定の時間以内でシャッターが下りるようになる。
【００６７】
請求項６の本発明によれば、被写体人物全員が撮像装置の方を向いたときでも無限回数シャッターが下りることが防止され、さらに所定の時間以内でシャッターが下りるようになり、設定回数分は最終的にシャッターが下りるので設定回数分の画像は得られる。
【００６８】
請求項７の本発明によれば、セルフタイマー撮影において、事前に被写体人数を登録する手間が省け、確実に被写体人物全員が撮像装置の方を向いて撮影される。したがって、撮影に慣れていない幼児が撮影時に撮像装置の方を向いていない、セルフタイマー動作音や動作点滅の確認がしづらいことによっていつ撮影されるか被写体人物自身が認識できない、などの事態が防止できる。
【図面の簡単な説明】
【図１】デジタルカメラの構成を示したブロック図。
【図２】デジタルカメラをセルフタイマーモードにして目検出モードに設定しシャッターが下りるまでの第１態様を示す図。
【図３】デジタルカメラをセルフタイマーモードにして目検出モードに設定しシャッターが下りるまでの第２態様を示す図。
【図４】デジタルカメラをセルフタイマーモードにして目検出モードに設定しシャッターが下りるまでの第３態様を示す図。
【図５】デジタルカメラをセルフタイマーモードにして目検出モードに設定しシャッターが下りるまでの第４態様を示す図。
【図６】デジタルカメラをセルフタイマーモードにして目検出モードに設定しシャッターが下りるまでの第５態様を示す図。
【図７】デジタルカメラをセルフタイマーモードにして目検出モードに設定しシャッターが下りるまでの第６態様を示す図。
【図８】目検出処理部の構成を示すブロック図。
【図９】図８の目抽出部の構成例を示すブロック図。
【符号の説明】
１０…デジタルカメラ、２８…電子シャッター制御部、２９…シャッター回数記憶部、３０…ＡＥ・ＡＦ・ＡＷＢ制御部、３１…シャッター回数設定部、３２…画像メモリ、３６…目検出（顔検出）処理部、３８…セルフタイマー時間管理部、３９…最長目検出時間設定部、５２…画像データ、５４…画像データ入力部、５６…目抽出部、５８…目検出結果出力部、６０…目検出結果データ、６２…特徴抽出処理部、６３…人数登録部、６４…辞書データ格納部、６６…マッチング処理部、６８…一致度算出部、７０…一致度判定部、７２…目を検出したとの情報、７４…目を検出しなかったとの情報
【図１】
2004336265.tif 000004
【図２】
2004336265.tif 000005
【図３】
2004336265.tif 000006
【図４】
2004336265.tif 000007
【図５】
2004336265.tif 000008
【図６】
2004336265.tif 000009
【図７】
2004336265.tif 000010
【図８】
2004336265.tif 000011
【図９】
2004336265.tif 000012